(57)【要約】【課題】製造が簡単である上にコストも低く、強度的にも問題のない卓上カレンダー立を提供すること。【解決手段】打抜き形成された一枚のシートからなり、矩形状で横長の前板部１と、前板部１の両側辺からそれぞれ幅板部２を介して連設し、中央に縦方向の折り線ａを有する一対の脚板部３と、各脚板部３の端縁にそれぞれ折り線ｂを介して連設し、上下に差込み片４ａ，４ｂがそれぞれ突出形成された一対の差込み板部４と、前板部１の下辺に幅板部５を介して連設した背板部６と、背板部６の下辺に折り線ｃを介して連設した細幅の折返し板部７とを備える。【選択図】図１
0003118608.tif 000002
【実用新案登録請求の範囲】
【請求項１】
打ち抜き形成された一枚のシートからなり、矩形状で横長の前板部と、前板部の両側辺からそれぞれ幅板部を介して連設し、中央に縦方向の折り線を有する一対の脚板部と、各脚板部の端縁にそれぞれ折り線を介して連設し、上下に差込み片がそれぞれ突出形成された一対の差込み板部と、前板部の下辺に幅板部を介して連設した背板部と、背板部の下辺に折り線を介して連設した細幅の折返し板部とを備え、背板部には各脚板部が折り線で山折りされた状態で各差込み板部の差込み片が差し込まれる位置にそれぞれスリットが形成されていることを特徴とする卓上カレンダー立。
【請求項２】
シートとして透明なプラスチックシートが用いられていることを特徴とする請求項１に記載の卓上カレンダー立。
【請求項３】
一対の脚板部には幅板部に隣接する部位を折曲げ線とする押さえ用爪がそれぞれ区画されていることを特徴とする請求項１又は２に記載の卓上カレンダー立。
【請求項４】
各板部の境界線と各折り線は、押さえ用爪の折曲げ線に対応するところ以外はすべてミシン目線で形成されていることを特徴とする請求項１〜３のいずれかに記載の卓上カレンダー立。
【請求項５】
シートの表裏を識別するための識別マークが設けられていることを特徴とする請求項１〜４のいずれかに記載の卓上カレンダー立。
【請求項６】
シートの表裏を識別するための識別マークが設けられ、その識別マークが切欠で形成されていることを特徴とする請求項１〜４のいずれかに記載の卓上カレンダー立。
【請求項７】
シートの表裏を識別するための識別マークが設けられ、その識別マークを除いた部分が中心線に対して線対称形状になっていることを特徴とする請求項１〜４のいずれかに記載のカレンダー立。
【請求項８】
打ち抜きされた一枚のプラスチックシートからなり、ミシン目線で形成された組立用の折り線と、シートの表裏を識別するための識別マークとが設けられていることを特徴とする卓上カレンダー立。
【請求項９】
識別マークが切欠で形成されていることを特徴とする請求項８に記載の卓上カレンダー立。
【請求項１０】
識別マークを除いた部分が中心線に対して線対称形状になっていることを特徴とする請求項８又は９に記載のカレンダー立。
【考案の詳細な説明】
【技術分野】
【０００１】
本考案は、机や家具などの上に置いて使用される卓上カレンダーの技術分野に属し、詳しくは、卓上カレンダーを構成する卓上カレンダー立に関する。
【背景技術】
【０００２】
従来、この種の卓上カレンダーとして、暦欄と絵柄等を印刷した複数枚のカレンダー紙葉と表紙などのカレンダー本文と、それらを収納して保持するプラスチック製の卓上カレンダー立とから構成されるタイプのものが広く利用されている。そして、このような卓上カレンダー立としては、ケース部材としてのプラスチックケースと一体に折畳み脚部を形成したものや、プラスチックケースに収納したカレンダー本文の一番下の板紙を脚部材とし、これに折畳み脚部を設けたものなどがあり、使用時にはこの折畳み脚部を起こして机や家具などの上に立てるようになっている。
【特許文献１】実公昭４−５０１４２号公報
【特許文献２】実開平４−１１６７２号公報
【考案の開示】
【考案が解決しようとする課題】
【０００３】
上記したような卓上カレンダー立は、カレンダー本文の収納部と折畳み可能な脚部とを備えており、使用状態では脚部はもちろん収納部も撓まないようにある程度の強度を必要とする。このため、比較的厚みのあるプラスチックシートを使用し、このプラスチックシートを抜き加工した後、熱曲げ加工やウェルダー加工、さらには貼り加工を施して所定の形状にしている。したがって、思いの外、多くの手間と大きなコストが掛かり、製造個数が多い場合には、季節ものであるカレンダー特有の短納期に対応するのが難しいという問題点もあった。
【０００４】
本考案は、上記のような問題点に鑑みてなされたものであり、その目的とするところは、製造が簡単である上にコストも低く、強度的にも問題のない卓上カレンダー立を提供することにある。
【課題を解決するための手段】
【０００５】
請求項１に記載の考案である卓上カレンダー立は、打ち抜き形成された一枚のシートからなり、矩形状で横長の前板部と、前板部の両側辺からそれぞれ幅板部を介して連設し、中央に縦方向の折り線を有する一対の脚板部と、各脚板部の端縁にそれぞれ折り線を介して連設し、上下に差込み片がそれぞれ突出形成された一対の差込み板部と、前板部の下辺に幅板部を介して連設した背板部と、背板部の下辺に折り線を介して連設した細幅の折返し板部とを備え、背板部には各脚板部が折り線で山折りされた状態で各差込み板部の差込み片が差し込まれる位置にそれぞれスリットが形成されていることを特徴としている。
【０００６】
請求項２に記載の考案である卓上カレンダー立は、請求項１に記載の卓上カレンダー立において、シートとして透明なプラスチックシートが用いられていることを特徴としている。
【０００７】
請求項３に記載の考案である卓上カレンダー立は、請求項１又は２に記載の卓上カレンダー立において、一対の脚板部には幅板部に隣接する部位を折曲げ線とする押さえ用爪がそれぞれ区画されていることを特徴としている。
【０００８】
請求項４に記載の考案である卓上カレンダー立は、請求項１〜３のいずれかに記載の卓上カレンダー立において、各板部の境界線と各折り線は、押さえ用爪の折曲げ線に対応するところ以外はすべてミシン目線で形成されていることを特徴としている。
【０００９】
請求項５に記載の考案である卓上カレンダー立は、請求項１〜４のいずれかに記載の卓上カレンダー立において、シートの表裏を識別するための識別マークが設けられていることを特徴としている。
【００１０】
請求項６に記載の考案である卓上カレンダー立は、請求項１〜４のいずれかに記載の卓上カレンダー立において、シートの表裏を識別するための識別マークが設けら、その識別マークが切欠で形成されていることを特徴としている。
【００１１】
請求項７に記載の考案である卓上カレンダー立は、請求項１〜４のいずれかに記載の卓上カレンダー立において、シートの表裏を識別するための識別マークが設けら、その識別マークを除いた部分が中心線に対して線対称形状になっていることを特徴としている。
【００１２】
請求項８に記載の考案である卓上カレンダー立は、打ち抜きされた一枚のプラスチックシートからなり、ミシン目線で形成された組立用の折り線と、シートの表裏を識別するための識別マークとが設けられていることを特徴としている。
【００１３】
請求項９に記載の考案である卓上カレンダー立は、請求項８に記載の卓上カレンダー立において、識別マークが切欠で形成されていることを特徴としている。
【００１４】
請求項１０に記載の考案である卓上カレンダー立は、請求項８又は９に記載の卓上カレンダー立において、識別マークを除いた部分が中心線に対して線対称形状になっていることを特徴としている。
【考案の効果】
【００１５】
本考案の卓上カレンダー立は、折返し板部を折り返した状態の背板部を前板部に対して折り重ね、さらに左右から脚板部及び差込み板部の部分を折り重ね、上方から前板部と背板部との間に複数枚のカレンダー本文をセットし、最後に帯掛けテープを掛けるだけで、出荷状態とすることができるので、打ち抜き形成された一枚のプラスチックシートを単に組み立てるだけでよく、しかも熱曲げ加工、ウェルダー加工、貼り加工等の加工工程を必要としないため、製造が簡単で、短納期にも十分に対応が可能であるとともに、コストを低く抑えることができる。
【００１６】
そして、使用時に際しては、脚板部を山折りして各差込み板部の差込み片を背板部のスリットに差し込むだけで脚板部の組立が完了し、卓上カレンダー立の裏側両サイドに三角筒状の脚部が形成され、しかも、背板部は上辺の折返し板部により補強されて全体に強度のある構造になることから、プラスチックシートは比較的薄いプラスチック材料を用いてもよく、この点でもコストを抑えることができる。
【００１７】
また、押さえ用爪を設けたことにより、組立て後は折りクセの付いたこの押さえ用爪がストッパーの役目を果たし、背板部の後側への広がりが防止され、カレンダー本文が外れるようなことがない。
【００１８】
また、各板部の境界線と各折り線をミシン目線としたことにより、シートの折曲げやすさが発揮されて、出荷時の組立て作業の効率化を図ることができ、使用時に際しての組立ても容易となる。また、押さえ用爪は、ミシン目線ではないところで折り曲げられるので、折りクセが付いたままの状態を維持でき、背板部を押さえることができる。
【００１９】
また、シートの表裏を識別するための識別マークを設けたことにより、ミシン目線の折曲げやすさと毛羽立ちの有無を考慮した組立作業を行うことができる。
【考案を実施するための最良の形態】
【００２０】
以下、図面を参照して本考案の実施の形態を説明する。
【００２１】
図１は本考案に係る卓上カレンダー立を構成するブランクの一例を示す平面図であり、このブランクＢは打ち抜き形成された透明なプラスチックシートからなる。実際の製造工程では、大きなプラスチックシート原反から複数のブランクＢが一度に打ち抜かれる。プラスチックシートの素材としては、廃棄上の問題と強度の点でポリエステル樹脂、特にポリエチレンテレフタレートを選択するのが望ましい。
【００２２】
このブランクＢは、図１に示すように、矩形状で横長の前板部１と、前板部１の両側辺からそれぞれ幅板部２を介して連設し、中央に縦方向の折り線ａを有する一対の脚板部３と、各脚板部３の端縁にそれぞれ折り線ｂを介して連設し、上下に差込み片４ａ，４ｂがそれぞれ突出形成された一対の差込み板部４と、前板部１の下辺に幅板部５を介して連設した背板部６と、背板部６の下辺に折り線ｃを介して連設した細幅の折返し板部７を備えている。ここで、前板部１のサイズは収納するカレンダー本文の大きさに対応しており、幅板部２，５の幅は収納するカレンダー本文の枚数に対応している。
【００２３】
また、背板部６には各脚板部３が折り線ａで山折りされた状態で各差込み板部４の差込み片４ａ，４ｂが差し込まれる位置にそれぞれスリット８が形成されているとともに、各脚板部３には幅板部２に隣接する部位を折曲げ線αとする押さえ用爪９がそれぞれ区画されている。そして、各板部１〜７の境界線と各折り線ａ〜ｃは押さえ用爪９の折曲げ線αに対応するところ以外はすべてミシン目線で形成されている。このミシン目線と折曲げ線は、ブランクＢを原反から打ち抜き形成する時にそれぞれミシン刃と押し刃により同時に形成される。
【００２４】
プラスチックシートにミシン目線を設けた場合、折曲げやすさと毛羽立ちの有無から表裏がある。そこで、手作業でクセ折りしてブランクＢを組み立てる際に、表裏関係の確認を容易にするため、ブランクＢのコーナー部分に表裏識別のための識別マークとして図示のような切欠１０を設けておくようにすると都合がよい。特に、図１に示すブランクＢは、前板部１の中心線Ｘに対して線対称の形状であり、表裏を間違えても組み立てる上で問題はないが、上記のように卓上カレンダー立の仕上がりが良くなるため有効である。この識別マークの切欠１０はシート打抜き時に形成すればよい。また、識別マークとしては孔など他の形状でもよい。
【００２５】
図１のブランクＢの組立手順は次のとおりである。まず、背板部６に対して折返し板部７を内側に折り返す。そして、この折返し板部７を折り返した状態の背板部６を前板部１に対して内側から折り重ね、次いで、左右から脚板部３及び差込み板部４の部分を順次折り重ねる。この場合、脚板部３の押さえ爪９の部分も折曲げ線αの部分で同じように折り曲げておく。このようにして折り畳むことで、図２の裏面図に示すように前板部１のサイズに折り畳まれ、上部が開口した状態となる。
【００２６】
ブランクＢを図２の状態に折り畳んで組立前の卓上カレンダー立Ａとした後、図３に示すように、カレンダー本文を上方から前板部１と背板部６との間に挿入してセットし、最後に帯掛けテープＴを掛けて出荷状態とする。図３に示すカレンダー本文は、６枚のカレンダー紙葉群２０と、その前後に位置する表紙２１と取扱い説明書２２とから構成されているが、これに限定されるものではない。
【００２７】
図３のようにカレンダー本文を収納した卓上カレンダー立Ａを使用するに際しては、裏側の脚板部３を組み立てて起立可能な状態とする。すなわち、図４に示すように、脚板部３を山折りするとともに脚板部４に対して差込み板部４を谷折りし、この状態で各差込み板部４の差込み片４ａ，４ｂを背板部６のスリット８に差し込む。これにより脚板部３の組立が完了し、図５に示す如く卓上カレンダー立Ａの裏側両サイドに三角筒状の脚部を形成することができる。
【００２８】
上記のように組み立てた卓上カレンダー立Ａは、裏側両サイドに三角筒状の脚部が形成されるので、図５に示す状態で机や家具などの上に安定して置くことができる。そして、上辺の折返し板部７により背板部６は曲げに対して補強されるとともに、折りクセの付いた押さえ用爪９がストッパーの役目を果たし、背板部６は後側への広がりが防止されたものとなる。このように、組立後は全体に強度のある構造となることから、プラスチックシートとしては比較的薄いものを用いることが可能である。
【００２９】
なお、本考案の卓上カレンダー立のサイズについては、裏側両サイドに三角筒状の脚部を組み立てることができさえすれば特に制約はないが、図示のような横長のタイプに好適である。
【００３０】
以上、本考案の実施の形態について詳細に説明してきたが、本考案による卓上カレンダー立は、上記実施の形態に何ら限定されるものではなく、本考案の趣旨を逸脱しない範囲において種々の変更が可能であることは当然のことである。
【００３１】
例えば、上記の例では透明なプラスチックシートを用いたが、本考案で使用するプラスチックシートは必ずしも透明でなくてもよい。すなわち、前板部に窓を設ければ不透明なプラスチックシートでも用いることができる。
【図面の簡単な説明】
【００３２】
【図１】本考案に係る卓上カレンダー立を構成するブランクの一例を示す平面図である。
【図２】図１のブランクを組み立てた状態を示す裏面図である。
【図３】組立前の卓上カレンダー立にカレンダー本文をセットする様子を示す説明図である。
【図４】卓上カレンダー立の脚板部を組み立てる様子を示す説明図である。
【図５】脚板部を組み立てた卓上カレンダー立を裏側から見た状態で示す斜視図である。
【符号の説明】
【００３３】
Ａ  卓上カレンダー立
Ｂ  ブランク
１  前板部
２  幅板部
３  脚板部
４  差込み板部
４ａ，４ｂ  差込み片
５  幅板部
６  背板部
７  折返し板部
８  スリット
９  押さえ用爪
１０  切欠
２０  カレンダー紙葉群
２１  表紙
２２  取扱い説明書
ａ〜ｃ  折り線
α  折曲げ線
【図１】
0003118608.tif 000003
【図２】
0003118608.tif 000004
【図３】
0003118608.tif 000005
【図４】
0003118608.tif 000006
【図５】
0003118608.tif 000007